(57)【要約】【課題】光源から出射された光に対して、人為的あるいは電気的な制御手段を用いることなく変化を与えることによって、インテリア照明として趣向に富む行灯を提供する。【解決手段】本発明の１つの行灯１００は、透光性のシート状部材２４からなる側面を有する円筒体２１、及び円筒体２１の内部に設けられた光源２５を備える照明部材２０と、光源２５からの光を通過させる複数のスリット５６を有するブレード５５を複数枚備え、かつ間隙を介して円筒体２１の外周側に、円筒体２１と略同心で周方向に回転可能に略等間隔でブレード５５が配置される風車５０とを備える。【選択図】図１
2015088282.tif 000002
【特許請求の範囲】
【請求項１】
透光性のシート状部材からなる側面を有する円筒体、及び前記円筒体の内部に設けられた光源を備える照明部材と、
前記光源からの光を通過させる複数のスリットを有するブレードを複数枚備え、かつ間隙を介して前記円筒体の外周側に、前記円筒体と略同心で周方向に回転可能に略等間隔で前記ブレードが配置される風車と、
を備える、
行灯。
【請求項２】
前記ブレードが回転することにより、前記ブレードの外側からの定点観測において、前記シート状部材を透過した前記光の受光量が増減する、
請求項１に記載の行灯。
【請求項３】
前記円筒体が、前記シート状部材の外周にすだれ状の遮光部を備えている、
請求項１又は請求項２に記載の行灯。
【請求項４】
前記シート状部材が、和紙である、
請求項１乃至請求項３のいずれか１項に記載の行灯。
【請求項５】
前記スリットは、すだれ状である、
請求項１乃至請求項４のいずれか１項に記載の行灯。
【請求項６】
内部に光源が設けられ、透光性のシート状部材からなる側面を有する円筒体の外周側を、間隙を介して前記円筒体と略同心で周方向に回転するとともに、略等間隔で配置される複数のブレードのそれぞれに設けられた複数のスリットに、前記光源からの光を通過させる、
行灯の照光方法。
【請求項７】
前記ブレードが回転することにより、前記ブレードの外側からの定点観測において、前記シート状部材を透過した前記光の受光量が増減する、
請求項６に記載の行灯の照光方法。
【発明の詳細な説明】
【技術分野】
【０００１】
本発明は、行灯に関するものである。
【背景技術】
【０００２】
近年、住宅における部屋、廊下等のインテリア照明や、庭園灯や門灯等のエクステリア照明として、置き型式の照明器具が多く用いられている。置き型式の照明器具は、部屋に光のアクセントを加えたり、空間の雰囲気を変えるなどの目的のために、インテリア又はエクステリア装飾の一環として設置される場合が多い。
【０００３】
この置き型式の照明器具の中で、特に伝統的な行燈形状のスタンド式照明器具が和風の照明器具として根強い人気である。行灯の中でも、木と和紙によりフレーム及びシェードを形成し、その中に白熱電灯を配置したものが最もポピュラーである。また、従来技術では、行燈形状のスタンド式照明器具において、インテリアとしての趣を付与するために、筒体の側面パネルに四季に対応する種々の絵が描写された行灯が開示されている（特許文献１）。
【先行技術文献】
【特許文献】
【０００４】
【特許文献１】特開２００７−４２５１８号公報
【発明の概要】
【発明が解決しようとする課題】
【０００５】
しかしながら、上述の従来技術においては、消灯時においても絵が見える状況となり、絵の描写部分は点灯時と消灯時とで変化がないので、趣向性に富む部分が少ない。また、夜間の長い間に点灯する照明器具は、省電力性も求められる。
【０００６】
本発明は、上述の技術課題を解決することにより、好適にはインテリア照明又はエクステリア照明として利用することを目的として、省電力性を確保しつつ、趣向に富む照明効果を実現しうる照明器具を提供するものである。
【課題を解決するための手段】
【０００７】
上述のとおり、従来の行灯においては、光源である蝋燭や白熱電灯から出される光の利用例が、動きのない、いわば静的な形態に限定されていることに本願発明者は着眼した。行灯の審美性ないし風情と実用性との両面を追求する中で、本願発明者は、光源からの光を単にフレームやシェードを用いた、変化のない光線として利用するのではなく、光源と観察者との間の空間を活用することによって動きのある光線が形成されることが、観察者に新たな刺激を与えるとともに興味を引き出すものであると考え、鋭意研究を進めた。試行錯誤の末、本願発明者は、光源と観察者との間に光源の周りを回転する風車を配置することによって、光源から出射される光を、いわば動的に利用する、趣向に富んだ照明効果を実現し得ることを知見した。さらに、風を受けるブレードを工夫することによって光を適度に遮ることができる行灯が実現した。その結果、本願発明者は、人為的又は電気的な制御を全く用いなくても、光源から出射される光に動きを与えることができる新しいタイプの行灯を創出した。
【０００８】
本発明の１つの行灯は、透光性のシート状部材からなる側面を有する円筒体、及びその円筒体の内部に設けられた光源を備える照明部材と、光源からの光を通過させる複数のスリットを有するブレードを複数枚備え、かつ間隙を介して前述の円筒体の外周側に、その円筒体と略同心で周方向に回転可能に略等間隔で前述のブレードが配置される風車とを備える。
【０００９】
この行灯によれば、複数のスリットを有するブレードの回転により、観察者に対して、光源から出射される光に対して完全に明滅を与えるのではなく、光の受光量の適度な変化を与えることができる。さらに、ブレードの回転速度が変化することによっても、光源から出射される光による、観察者にとっての受光量のレベルを変化させることができる。また、風車であるが故に、その回転速度を自然の風に任せることもできるため、観察者に自然の変化による楽しみ、すなわち、ある一定期間を捉えれば連続的にも不連続にもなる受光量の変化を与えることが可能となる。
【００１０】
また、本発明の１つの行灯の照光方法は、内部に光源が設けられ、透光性のシート状部材からなる側面を有する円筒体の外周側を、間隙を介してその円筒体と略同心で周方向に回転するとともに、略等間隔で配置される複数のブレードのそれぞれに設けられた複数のスリットに、前述の光源からの光を通過させる。
【００１１】
この行灯の照光方法によれば、複数のスリットを有するブレードの回転により、観察者に対して、光源から出射される光に対して完全に明滅を与えるのではなく、光の受光量の適度な変化を与えることができる。従って、この方法により、光源から出射される光に対していわば動的に変化を与えることができる。さらに、ブレードの回転速度が変化することによっても、光源から出射される光による、観察者にとっての受光量のレベルを変化させることが可能となる。
【発明の効果】
【００１２】
本発明の１つの行灯によれば、光源から出射された光に対して人為的あるいは電気的な制御手段を用いなくても、観察者の受ける光量に変化を与えることにより、省電力性を確保しつつ、光源から出射される光を、いわば動的に利用する、趣向に富んだ照明効果を実現しうる照明器具を提供することが可能となる。また、本発明の１つの行灯の照光方法は、光源から出射される光に対して、完全に明滅を与えるのではなく、光の受光量に適度な変化を与えることができる。さらに、ブレードの回転速度が変化することによっても、光源から出射される光による、観察者にとっての受光量のレベルを変化させることが可能となる。
【図面の簡単な説明】
【００１３】
【図１】本発明の第１の実施形態における行灯の概要構成図である。
【図２】本発明の第１の実施形態における行灯の平面図である。
【図３】図２に示す行灯のＸ−Ｘ断面図である。
【図４】本発明の第１の実施形態における行灯に備えられた風車の斜視図である。
【図５】本発明の第１の実施形態における、行灯に備えられた照明部材の斜視図である。
【図６】本発明の第１の実施形態におけるブレードの天板及び底板を説明するための模式図である。
【図７】本発明の第１の実施形態の一例として、行灯からの光を定点観測したときに明るい状態となっているときの写真である。
【図８】本発明の第１の実施形態の一例として、行灯からの光を定点観測したときに暗い状態となっているときの写真である。
【図９】本発明の第２の実施形態における行灯の概要構成図である。
【図１０】本発明の第２の実施形態における、行灯に備えられた照明部材の斜視図である。
【図１１】本発明の第２の実施形態における、行灯の使用状態を示す写真である。
【発明を実施するための形態】
【００１４】
本発明の実施形態を、添付する図面に基づいて詳細に述べる。なお、この説明に際し、全図にわたり、特に言及がない限り、共通する部分には共通する参照符号が付されている。また、図中、本実施形態の要素は必ずしも互いの縮尺を保って記載されるものではない。さらに、各図面を見やすくするために、一部の符号を省略する。
【００１５】
＜第１の実施形態＞
図１は、本実施形態における行灯１００の概要構成図（斜視図）である。図２は、本実施形態における行灯１００の平面図であり、図３は、図２に示す行灯１００のＸ−Ｘ断面図である。また、図４は、本実施形態における行灯１００に備えられた風車５０の斜視図である。加えて、図５は、本実施形態における行灯１００に備えられた照明部材２０の斜視図である。
【００１６】
本実施形態の行灯１００は、風車５０のブレード５５が回転することによって、観察者にとっての受光量を変化させ得る行灯である。図１乃至図５に示すように、本実施形態の行灯１００は、光源２５及び透光性のシート状部材２４からなる側面を有する円筒体２１を備える照明部材２０と、円筒体２１の外周側に回動可能に配置されるとともに、光源２５からの光を通過させる複数のスリット５６を有するブレード５５を複数枚備える風車５０を備える。なお、ブレード５５は、円筒体２１と観察者との間に配置される。従って、円筒体２１とブレード５５との間には一定の間隙が形成されている。
【００１７】
まず、本実施形態の全体的な構造と風車５０について説明する。
【００１８】
本実施形態においては、支持枠１は、ステンレス製であって、図２及び図３に示すように、ベアリングホルダ１０、ラジアル玉軸受け１４、及び支持用フランジ９によって、風車５０の回転軸１１を回動可能に支持する。ベアリングホルダ１０が備えるラジアル玉軸受け１４は、風車５０の回転軸１１を鉛直方向に支持するとともに回転軸１１の円滑かつ静粛な回転を実現する。また、支持枠１には、行灯１００を地面に置いた際、近傍にある石、壁、樹木等にブレードが接触して変形又は破損することを防ぐ役割を果たす、行灯下部プロテクタ５が設けられている。また、支持枠１とボルト及びナットによって固定された支持台８が、支持枠１を底部で支持する。また、支持台８の下面は、例えば、導電性ニトリルブタジエンゴム製のゴム足１７を備えている。
【００１９】
加えて、本実施形態の風車５０は、図２乃至図４に示すように、風を受けてトルクを発生する縦方向のブレードであって、回転軸１１の周りに略等間隔に配置された略半円筒状のブレード５５を１６枚備えている。上部支持板５８及び下部支持板５９は、ブレード５５の天板５２及び底板５３を挟んで風車５０を支持用フランジ９によって回動可能に固定する。より具体的に見ると、風車５０は、上部支持板５８の下面に、半円板状の天板５２がネジで固定される。また、下部支持板５９の上面には、照明部材２２を下方から容易に取り付けることが可能となるように、半円板状の一部を切り欠いた底板５３がネジで固定される。ブレード５５の天板５２は、平面視における直線部分が回転軸１１の軸心からの放射線上に沿うように上部支持板５８の下面に取り付けられる。また、ブレード５５の底板５３も、同様に、平面視における直線部分が回転軸１１の軸心からの放射線上に沿うように下部支持板５９の上面に取り付けられる。
【００２０】
図６は、本実施形態におけるブレード５５の天板５２及び底板５３を説明するための模式図である。図６（ａ）は、天板５２とブレード５５との接合部分を示す図であり、図６（ｂ）は、底板５３とブレード５５との接合部分を示す図である。ブレード５５は、天板５２及び底板５３の外周面に沿って取り付けられる。図６（ａ）に示すように、本実施形態においては、ブレード５５は、天板５２の外周面の全てを覆うように取り付けられておらず、一様に一部の欠損部分が存在する。この構造を採用することにより、風が風車５０に向かって吹き込んだときにブレード５５の後方（風の下流側）へその風を滞らせることなく逃がす効果が奏される。ところで、本実施形態では、図６（ａ）に示すブレード５５の欠損部分を示す角度（中心角）αが５０°であるが、本実施形態はこの角度に限定されない。一方、ブレード５５は、図６（ｂ）に示すように、半円板状の一部を切り欠いた底板５３の外周面の曲面に対しては、全てを覆うように取り付けられている。
【００２１】
また、本実施形態においては、図２及び図５に示すように、ブレード５５は、照明部材２０の一部を構成する円筒体２１の外周側に、円筒体２１と略同心で周方向に回動可能に略等間隔で配置される。本実施形態のブレード５５の材質は、屋外に配置したときに微風によっても回転を可能にするために、軽量なアルミニウム合金製である。また、アルミニウム合金以外にも、公知の軽金属材料がブレード５５の材質として採用され得る。なお、本実施形態においては、ブレード５５が円筒体２１と完全な同心で周方向に回動可能に配置されることを要しない。また、ブレード５５が間隙を介して円筒体２１の外周側に、完全に等間隔で配置されることも要しない。
【００２２】
また、ブレード５５には、複数のすだれ状のスリット５６が形成されている。スリット５６は、光源２５から出射され、透光性のシート状部材２４を透過した光を通過させる。ここで、ブレード５５のスリット５６の幅は、２ｍｍ以上５ｍｍ以下が好ましい。なお、スリット５６の幅が５ｍｍを超えると、スリットによるすだれ効果（観察者によってすだれのように視認され得るという効果）が大幅に低減する可能性がある。一方、スリット５６の幅が２ｍｍ未満の場合、ブレード５５にスリット５６を打ち抜き加工する際の金型の強度確保が困難になる可能性がある。また、スリット５６の開口率は、２０％以上、５０％以下が好ましい。この開口率が５０％を超えると、微風を受けて抗力を発生するという風車のブレードとしての本来の機能が大幅に低下し得る。一方、この開口率が２０％未満の場合、ブレード５６を通過する光量が小さすぎて照明器具としての行灯の機能が損なわれ得る。加えて、ブレード５５の数は、２枚以上であれば特に限定されないが、１０枚以上２０枚以下であれば、本実施形態の効果をより発揮しやすい。なお、ブレード５５の数が２０枚を超えると、ブレード５６同士の間隔が狭すぎて風の抜けが悪くなることにより発生抗力が小さくなる可能性がある。一方、ブレード５５の数が１０枚未満の場合、ブレード５６同士の間隔が広すぎて風の力を十分に捕らえきれず、大きな発生抗力が得られない可能性がある。
【００２３】
次に、本実施形態の照明部材２０について説明する。図５に示すように、照明部材２０は、透光性のシート状部材２４からなる側面を有する円筒体２１と、円筒体２１の内部に備えられ、光源２５が設けられる光源台２７とを備えている。光源カバー２６は、光源２５の防水用ケースであり、ガラス、樹脂等の材質からなる。より、具体的には、円筒体２１の筒体枠２２は、ステンレスによって、縦長な円筒形に成形されている。そして、筒体枠２２の側面の外側には、透光性のシート状部材２４が貼り付けられている。円筒体２１は、支持台８から突設された４本の支柱２３によって、支持台８の上面に支持されている。また、光源台２７には、商用電源から電力を得るための電源コンセント２９が備えられている。
【００２４】
また、光源２５の種類は特に限定されない。例えば、光源２５として、白熱電球、あるいは省電力の観点で好ましいＬＥＤ電球等、種々の光源を採用することができる。また、シート状部材２４の例は、伝統的な和紙、和紙様の合成紙或いは合成樹脂フィルム等であって、シート状で光を透過可能な材料であれば採用し得る。特に、和紙を採用することは、本実施形態の風車５０の回転による観察者にとっての受光量の変化と相俟って、柔らかな光を持つ独特の風合いを出射側からも表現することが可能となる。また、このシート状部材２４の材質や厚みを変えることによって、光量の調節や風合いの観点を含めた所望の光を照射することができる。
【００２５】
次に、行灯１００の照光方法について説明する。照明部材２０の内部に備えられた光源２５から出射された光の一部又は全部は、円筒体２１の側面に備えられた透光性のシート状部材２４を透過する。その後、円筒体２１の外周側を、間隙を介して円筒体２１と略同心で周方向に回転する複数のブレード５５のそれぞれに形成されている複数のすだれ状のスリット５６に、シート状部材２４を透過した光を通過させる。
【００２６】
ここで、観察者に届けられる光の状態を具体的な例を用いて説明する。図７は、本実施形態の一例として、行灯１００からの光を定点観測したときに明るい状態となっているときの写真である。また、図８は、本実施形態の一例として、行灯１００からの光を定点観測したときに暗い状態となっているときの写真である。図７及び図８に示すように、回転するブレード５５にシート状部材２４を透過した光を通過させることにより、ブレード５５の外側からの定点観測において、光の受光量が増減する。換言すれば、ブレード５５によって遮られる一部の光の影響により、ブレード５５が回転する中でブレード５５を通過せずに直接的に観察者に届けられる光の強度と、ブレード５５（のスリット５６）を通過する光の強度との差が生じることになる。従って、光源から出射される光を、いわば動的に利用する、趣向に富んだ照明効果を実現し得る。さらに、ブレード５５の回転速度が変化することによっても、光源２５から出射される光による、観察者にとっての受光量のレベルを変化させることができる。
【００２７】
本実施形態の行灯によれば、スリット５６を有する複数のブレード５５の回転により、観察者にとって、光源から出射される光の完全な明滅を与えるのではなく、光の受光量にいわば動的な変化を与えることができる。さらに、ブレード５５の回転速度が変化することによっても、光源から出射される光による、観察者にとっての受光量のレベルを変化させることができる。また、風車であるが故に、その回転速度を自然の風に任せることもできるため、観察者に自然の変化による楽しみ、すなわち、ある一定期間を捉えれば連続的にも不連続にもなる受光量の変化を与えることが可能となる。
【００２８】
また、本実施形態においては、ブレード５５が多数のすだれ状のスリット５６を備えているため、光の連続性が保たれている。また、スリット５６は、和紙等の透光性のシート状部材２４を透過させることによって、柔らかい散乱光となった光を観察者に届けることができる。その結果、観察者に対して光のちらつきを確度高く防止ないし抑制することが可能となる。
【００２９】
＜第２の実施形態＞
本実施形態においては、第1の実施形態の円筒体２１が、シート状部材２２の外周に遮光部２１ａを備えた円筒体２１に変更されている点を除いて、第1の実施形態の行灯１００と同じである。従って、第1の実施形態と重複する説明は省略する。
【００３０】
図９は、本実施形態における行灯２００の概要構成図（斜視図）である。また、図１０は、本実施形態における行灯２００に備えられた照明部材２２０の斜視図である。本実施形態の照明部材２２０は、図９及び図１０に示すように、シート状部材２４の外周にすだれ状の遮光部２１ａが設けられた円筒体２１を備えている。
【００３１】
ここで、第１の実施形態においては、ブレード５５の外側からの観測の際に、ブレード５５が光の一部を遮光しているときと、遮光していないときとの差がはっきりと分かってしまうことが、観察者にとっての光の受光量の、いわば連続性を損なわせる可能性もある。しかしながら、本実施形態のように、円筒体２１がその外周にすだれ状になるような遮光部２１ａ（及びスリット２１ｂ）を有しているため、遮光部２１ａが連続的に光源からの光の出射量を調節することになる。その結果、後述する図１１に示すように、観察者にとっての光の受光量の、いわば連続性が保たれることになるため、観察者は、より風合いに富んだ光を楽しむことができる。上述の観点から言えば、円筒体２１の外周面（つまり、遮光部２１ａ及びスリット２１ｂ）が、図１０に示すような「すだれ状」であることが好ましい。なお、図１１は、本実施形態における、行灯２００の使用状態を示す写真である。図１１に示す写真は、風速１．２ｍ毎秒で風車５０が回転している状態をシャッター速度１／３秒という条件で撮影した写真である。この写真は、実際に観察者が視認することができる行灯２００の使用状態に近いと考えられる写真として示している。
【００３２】
さらに、照明部材２２０の円筒体２１がその外周に遮光部２１ａ及びスリット２１ｂを備えていると、ブレード５５が停止しているときであっても、ブレード５５が有するスリット５６と、遮光部２１ａ及びスリット２１ｂとが相俟って、観察者にとっての光の受光量の適度な調節が行われることになる。従って、ブレード５５のスリット５６の間隙と遮光部２１ａが備える間隙（換言すれば、スリット２１ｂの間隔）とが調和していることが好ましい。調和の一例は、ブレード５５のスリット５６の長さと幅の比率が、スリット２１ｂの間隔の長さと幅の比率と略一致させることである。
【００３３】
なお、遮光部２１ａの材料は、遮光性を備えた材料であれば特に限定されない。例えば、防水加工を施した紙材，アルミニウム薄板等を、遮光性を備えた材料として用いることができる。また、本実施形態の遮光性は、完全に光を遮断する場合に限定されない。例えば、全光線透過率において数十％が遮光される遮光性を備えるものも、本実施形態の一態様に含まれ得る。但し、ブレード５５の外側からの観測の際に、遮光されていることがより確度高く視認されるためには、遮光部２１ａが、２０％以上の遮光性を備えていることが好ましい。
【００３４】
＜その他の実施形態＞
また、上述の実施形態においては、風車のブレードが、回転軸の周りに略等間隔、換言すれば略等角度の間隔に配置されているが、ブレードの配置はその態様に限定されない。例えば、略等角度に配置されていないブレードが風車に採用された場合であっても、風車の機能が損なわれない限り、上述の各実施形態と同等の効果が奏され得る。
【００３５】
また、上述の実施形態におけるブレード５５の数は１６枚であったが、上述の実施形態はこの数値に限定されない。例えば、ブレードの数が複数（代表的な枚数は１０枚）以上存在すれば、風車としての機能を発揮し得る。一方、ブレード数の上限には特に限定はないが、風車としての機能を損なわない範囲、及び製造コストの観点から上限値が選択される。
【００３６】
上述の実施形態においては、風車のブレードに形成されたスリットが、すだれ状であったがスリットの形状はすだれ状に限定されない。例えば、格子状、絵模様、円形状、楕円形状、矩形状等、種々の形状等をスリットの形状として採用することが可能である。但し、風車の回転に伴うスリット５６の移動方向が，行灯の観察者から見て水平方向であることから言えば、すだれ状を採用することが好ましい。
【００３７】
さらに、上述の各実施形態においては、スリット５６の間隔が略等間隔でであったが、スリット５６の間隔は必ずしも略等間隔であることを要しない。例えば、ブレード５５の上端及び下端の近い領域において比較的短い間隔のスリット５６を形成する一方、ブレード５５の中央の近い領域において比較的長い間隔のスリット５６を形成することも採用し得る一態様である。言うまでもなく、ブレード５５の上端及び下端の近い領域において比較的長い間隔のスリット５６を形成する一方、ブレード５５の中央の近い領域において比較的短い間隔のスリット５６を形成することもできる。ただし、実際のすだれ状のスリット５６の間隔が略等間隔であることから言えば、行灯に用いるスリット５６の間隔が略等間隔である方が、「すだれ」の外観をより忠実に再現し得ることになる。
【００３８】
なお、上述の各実施形態の開示は、それらの実施形態の説明のために記載したものであって、本発明を限定するために記載したものではない。加えて、各実施形態の他の組合せを含む本発明の範囲内に存在する変形例もまた、特許請求の範囲に含まれるものである。
【符号の説明】
【００３９】
１        支持枠
８        支持台
９        支持用フランジ
１０      ベアリングホルダ
１１      回転軸
２０      照明部材
２１，２１２    円筒体
２１ａ    遮光部
２１ｂ    スリット
２２      シート状部材
５０      風車
５２      天板
５３      底板
５５      ブレード
５６      スリット
５８      上部支持板
５９      下部支持板
３７      筒体枠
１００，２００    行灯
【図１】
2015088282.tif 000003
【図２】
2015088282.tif 000004
【図３】
2015088282.tif 000005
【図４】
2015088282.tif 000006
【図５】
2015088282.tif 000007
【図６】
2015088282.tif 000008
【図９】
2015088282.tif 000009
【図１０】
2015088282.tif 000010
【図７】
2015088282.tif 000011
【図８】
2015088282.tif 000012
【図１１】
2015088282.tif 000013